(57)【特許請求の範囲】
【請求項１】
対向配置されかつ互いの対向面に対して垂直な軸線を中心に回転可能に連結された第一の筐体及び第二の筐体と、
上記第一の筐体の第二の筐体との対向面側に設けられたキー操作部及び送話部としてのマイクと、
上記第二の筐体の第一の筐体と反対の外面側に設けられた表示部及び該表示部を挟んで配置される受話部としての二つのスピーカーと、
上記第一の筐体と上記第二の筐体の展開状態及び折り畳み状態を検知する検知部と、
上記検知部の検知結果に基づいて上記二つのスピーカーのうちいずれか一方を動作させ、他方の不動作とするように制御する制御部と、
を有することを特徴とする携帯無線機。
【請求項２】
上記二つのスピーカーのうち一のスピーカーは両筐体の連結側に配され、上記制御部は、上記検知部により両筐体の折り畳み状態を検知すると、上記一のスピーカーを動作させると共に、他のスピーカーを不動作とし、かつ上記検知部により両筐体の展開状態を検知すると、上記一のスピーカーを不動作とすると共に、他のスピーカーを動作させるように制御することを特徴とする請求項１に記載の携帯無線機。
【請求項３】
上記二つのスピーカーのうち一のスピーカーは両筐体の連結側に配され、上記制御部は、通話の際に上記検知部により両筐体の折り畳み状態を検知すると、上記一のスピーカーを動作させると共に、他のスピーカーを不動作とし、かつ通話の際に上記検知部により両筐体の展開状態を検知すると、上記一のスピーカーを不動作とすると共に、他のスピーカーを動作させるように制御することを特徴とする請求項１に記載の携帯無線機。
【発明の詳細な説明】
【技術分野】
【０００１】
本発明は、ＰＤＣ（Personal Digital Cellular）、ＣＤＭＡ（Code Division Multiple Access）、ＧＳＭ（Global System for Mobile Communication）やＰＨＳ（Personal Handy-phone System）等の通信手段を用いた携帯無線機に関するものである。
【背景技術】
【０００２】
近年、データの高速伝送が可能なＰＤＣ（Personal Digital Cellular）、ＣＤＭＡ（Code Division Multiple Access）、ＧＳＭ（Global System for Mobile Communication）やＰＨＳ（Personal Handy-phone System）等の通信手段を用いた携帯無線機が広く用いられ、さらに、次世代の技術として開発されているＷＣＤＭＡ（Wide band CDMA）、ＣＤＭＡ２０００等の通信手段を用いたものが開発されつつある。
【０００３】
また、この種の携帯無線機には、携帯性を高めるために折り畳み機構を持ったものも知られている。
【０００４】
図８に従来の折り畳み式の携帯無線機の一例を示すように、第一の筐体２１と第二の筐体２２とをヒンジ部２３を介して互いの対向面２１ａ，２２ａ間の角度が略０度から１８０度までの間で可変可能に連結され、上記第一の筐体２１の第二の筐体２２との対向面２１ａ側にはキー操作部２５と送話部２４を備え、上記第二の筐体２２の第一の筐体２１との対向面２２ａ側には表示部２６と受話部２７を備え、上記第一の筐体２１又は第二の筐体２２の端部にアンテナ（不図示）を具備したものが知られている。
【０００５】
しかし、図８に示す折り畳み式の携帯無線機２０は、折り畳んで閉じた状態では受話部２７と送話部２４が隠れてしまい、そのままでは通話を行うことができないといった課題があった。その為、折り畳んだ状態で着信があった場合、通話を行うためには第一の筐体２１又は第二の筐体２２を開いたあと、オフフック操作を行なわなければならないというように手間がかかり、着信に時間がかかった場合、電話が切れてしまうといった恐れもあった。
【０００６】
また、折り畳んだ時には受話部２７と送話部２４が接近することになるため、ハウリングを起こすといった課題もあった。
【０００７】
そこで、このような課題を解決するものとして、特許文献１には、図９に示すように、第二の筐体２２の対向面２２ａと反対側の表面（外表面）に第二の送話部２８と第二の受話部２９をそれぞれ設けるとともに、上記いずれか一方の筐体側面にオンフック操作部３０及びオフフック操作部３１を設けたものが提案されている。
【０００８】
この技術によれば、折り畳み時に着信があった場合、オフフック操作部３１を押下することにより、第一の筐体２１及び第二の筐体２２を開くことなく第二の受話部２９と第二の送話部２８を使って通話を行なうことができるため、通話に移行するまでの時間を短縮し、操作の手間を省くことができるといった利点があった。
【０００９】
一方、互いの対向面２１ａ，２２ａ間の角度を可変可能に連結した携帯無線機２０は、折り畳んだ状態では表示部２６を見ることができず、この場合、第一の筐体２１又は第二の筐体２２を開くといった動作が必要となり操作に手間がかかるため、図１０（ａ）（ｂ）に示すような携帯無線機４０も提案されている。
【００１０】
この携帯無線機４０は、対向配置されかつ互いの対向面に対して垂直な軸線を中心に回転可能に構成された第一の筐体４１と第二の筐体４２とからなり、上記第一の筐体４１の第二の筐体４２との対向面側にキー操作部４５と送話部としてのマイク４４を備え、上記第二の筐体４２の第一の筐体４１と反対の外面側には表示部４６と受話部としての一つのスピーカ４７を備えたものが提案されている（特許文献２参照）。
【００１１】
この携帯無線機４０によれば、第一の筐体４１と第二の筐体４２の展開時又は折り畳み時に関係なく表示部４６を見ることができるため、発呼者の確認等を容易に行うことができるといった利点があった。
【特許文献１】特開平１１−１８７０９８号公報
【特許文献２】特開平７−２８８８６０号公報
【発明の開示】
【発明が解決しようとする課題】
【００１２】
しかしながら、図９に示す携帯無線機２０は、折り畳み時に着信を受けても表示部２６が見れないため、発呼者を確認することができず、それ故、迷惑電話等に対処することができないといった不都合があった。
【００１３】
また、送話部２４，２８と受話部２７，２９をそれぞれ第二の筐体２２の表裏に設けなければならないため、部品点数が多くなり、無線機の構造が複雑になるとともに、小型化、軽量化が要求されている携帯無線機２０においてその要求を十分に満足することができないといった課題があった。
【００１４】
一方、図１０（ａ）（ｂ）に示す携帯無線機４０は、折り畳み時にも表示部４６が露出しているため、着信があった場合には直ちに発呼者を確認することができるものの、図１０（ｂ）に示すように、折り畳み時には送話部４４が受話部４７の真後ろ側に隠れてしまい、折り畳んだ状態では通話を行なうことができず、通話を行なうためには第一の筐体４１と第二の筐体４２を展開するとともに、オフフック操作をおこなわなければならないために手間がかかるといった課題があった。また、折り畳んだ時には受話部４７と送話部４４が接近することになるため、ハウリングを起こすといった課題もあった。
【課題を解決するための手段】
【００１５】
そこで、本発明は上述した課題を解決するため、対向配置されかつ互いの対向面に対して垂直な軸線を中心に回転可能に連結された第一の筐体及び第二の筐体と、上記第一の筐体の第二の筐体との対向面側に設けられたキー操作部及び送話部としてのマイクと、上記第二の筐体の第一の筐体と反対の外面側に設けられた表示部及び該表示部を挟んで配置される受話部としての二つのスピーカーと、上記第一の筐体及び上記第二の筐体の展開状態及び折り畳み状態を検知する検知部と、上記検知部の検知結果に基づいて上記二つのスピーカーのうちいずれか一方を動作させ、他方の不動作とするように制御する制御部と、を有して携帯無線機を構成したことを特徴とする。
【００１６】
また、上記二つのスピーカーのうち一のスピーカーは両筐体の連結側に配すると共に、上記制御部による制御によって、上記検知部により両筐体の折り畳み状態を検知すると、上記一のスピーカーを動作させると共に、他のスピーカーを不動作とし、かつ上記検知部により両筐体の展開状態を検知すると、上記一のスピーカーを不動作とすると共に、他のスピーカーを動作させるようにしたことを特徴とする。
【００１７】
さらに、上記二つのスピーカーのうち一のスピーカーは両筐体の連結側に配すると共に、上記制御部による制御によって、通話の際に上記検知部により両筐体の折り畳み状態を検知すると、上記一のスピーカーを動作させると共に、他のスピーカーを不動作とし、かつ通話の際に上記検知部により両筐体の展開状態を検知すると、上記一のスピーカーを不動作とすると共に、他のスピーカーを動作させるようにしたことを特徴とする。
【発明の効果】
【００１８】
本発明の携帯無線機によれば、携帯無線機の展開時だけでなく折り畳み時にも通話できると共に、携帯無線機の展開時及び折り畳み時に着信があった場合でも表示部に発呼者等の受信情報等を表示することができるため、発呼者の特定を行うことができ、受信情報に応じて直ちに通話を行うことができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯無線機としての携帯性を十分に発揮することができる。
【発明を実施するための最良の形態】
【００１９】
以下、本発明の実施形態について説明する。
【００２０】
図１は本発明の携帯無線機の折り畳み時の状態を示す平面図、図２は本発明の携帯無線機の展開途中の状態を示す平面図、図３は本発明の携帯無線機の展開時の状態を示す平面図である。
【００２１】
本発明の携帯無線機１０は、対向配置された第一の筐体１と第二の筐体２とからなり、互いの対向面に対して垂直な軸線を中心に回転可能に構成されている。
【００２２】
回転機構としては、第一の筐体１と第二の筐体２とを対向配置した時、その一端側において、互いの対向面に対して垂直に配置されたヒンジ軸３を介して回転させることができるようになっている。なお、本発明の携帯無線機１０における回転機構はヒンジ軸３を用いたものだけに限定されるものではない。
【００２３】
また、第一の筐体１の第二の筐体２との対向面側にはキー操作部５と送話部としての一つのマイク４を備え、マイク４はヒンジ軸３と反対側の端部に配置してある。
【００２４】
また、第二の筐体２の第一の筐体１と反対の外面側には、液晶表示装置等の表示部６と、この表示部６を挟んで配置された受話部としての二つのスピーカー７，８を備え、一方のスピーカー７はヒンジ軸３の近傍に、他方のスピーカー８はヒンジ軸３と反対側の端部にそれぞれ配置してある。また、第一の筐体１には出し入れ可能にアンテナ９を収納してあり、第一の筐体１のヒンジ軸３が配置された端面より出し入れすることができるように構成してある。
【００２５】
次に、本発明の携帯無線機１０のブロック図を図４に示すように、第二の筐体２内にはアンテナ９と接続される送信部１１及び受信部１２を有するとともに、制御部１３を備え、制御部１３はマイク４、二つのスピーカー７，８、表示部６、及びキー操作部５と接続されている。なお、１５は制御部１３に接続された記憶部、１４は電池、１６は第一の検出部、１７は第二の検出部で、第一の検出部１６及び第二の検出部１７はそれぞれ第二の筐体２の第一の筐体１に対する展開状態を検知するようになっている。即ち、図５に示すように、ヒンジ軸３の外周には二本の導体パターン１６ａ，１７ａを形成してあり、ヒンジ軸３の回転により二つの導通端子１６ｂ，１７ｂが二本の導体パターン１６ａ，１７ａと接触／非接触となることでオン状態／オフ状態を検出するようになっている。
【００２６】
具体的には、表１に示すように、第一の検出部１６がオン状態、第二の検出部１７がオフ状態のときは第一の筐体１と第二の筐体２とが完全に重なった折り畳まれた状態（図１）にあり、第一の検出部１６がオン状態、第二の検出部１７がオン状態のときは第二の筐体２が第一の筐体１に対して９０度回転した状態にあり、第一の検出部１６がオフ状態、第二の検出部１７がオン状態のときは第二の筐体２が第一の筐体１に対して１８０度回転した展開した状態（図３）にあり、第一の検出部１６がオフ状態、第二の検出部１７がオフ状態のときは第二の筐体２が上記以外の状態（図２）にある。
【表１】
0004404892.tif 000002
【００２７】
なお、第一の検出部１６及び第二の検出部１７の状態と展開状態との関係は具体例に示すパターンだけに限らず、適宜設定すれば良い。
【００２８】
そして、本発明の携帯無線機１０は、第一の筐体１と第二の筐体２の展開時は勿論のこと、折り畳み時においても通話を行うことができるようになっている。
【００２９】
その流れを図６に示すフローチャート図を基に説明する。
【００３０】
まず、着信を検知すると第一の検出部１６及び第二の検出部１７にて第一の筐体１と第二の筐体２の展開状態を確認する。例えば、着信を検知した時、第一の検出部１６がオフ状態でかつ第二の検出部１７がオン状態である場合、携帯無線機１０は展開した状態（図３）にあるため、スピーカー８側が上となるように表示部６に着信情報等を表示させるとともに、マイク４及びマイク４より遠方（ヒンジ軸３と反対側の端部）にあるスピーカー８をそれぞれ動作させ、マイク４近傍（ヒンジ軸３近傍）にあるスピーカー７を不動作とする。そして、不図示のオフフック操作部を押下し、スピーカー８を耳元に近づけることにより通話を行うことができる。
【００３１】
また、着信を検知した時、第一の検出部１６がオン状態でかつ第二の検出部１７がオフ状態である場合、携帯無線機１０は折り畳まれた状態（図１）にあるため、スピーカー７側が上となるように表示部６に着信情報等を切り替えて表示させるとともに、マイク４及びマイク４より遠方（ヒンジ軸３近傍）にあるスピーカー７を動作させ、マイク４近傍（ヒンジ軸３と反対側の端部）にあるスピーカー８を不動作とする。そして、不図示のオフフック操作部を押下し、スピーカー７を耳元に近づけることにより通話を行うことができる。この時、携帯無線機１０は展開しておらず、マイク４を口元近傍に配置するのに十分な長さを有していないものの、マイク４の感度を高めることで送話音を十分に集音することができる。
【００３２】
さらに、着信を検知した時、第一の検出部１６がオン状態でかつ第二の検出部１７がオン状態である場合又は第一の検出部１６がオフ状態でかつ第二の検出部１７がオフ状態である場合、いずれも第二の筐体２は第一の筐体１に対して展開途中であるため、この時には着信があったことを不図示のＬＥＤや振動等によって報知するだけで、表示部６は背景色、マイク４及び二つのスピーカー７，８は不動作とし、着信を受ける場合には、第二の筐体２を完全に折り畳むか又は展開することで上述のように通話を行うようになっている。
【００３３】
このように、本発明の携帯無線機１０によれば、第二の筐体２が展開している場合だけでなく、折り畳まれている場合でも着信があれば通話を行うことができる。
【００３４】
また、図９に示す従来の携帯無線機２０のように、第二の筐体２２の表裏にそれぞれマイク２４，２８及びスピーカー２７，２９を設ける必要性がないため、部品点数を少なくすることができるとともに、携帯無線機１０の厚みの薄型化及び軽量化にも貢献した構造とすることができる。
【００３５】
さらに、着信時には二つのスピーカー７，８より着信音を発生させるようにしておくことでステレオ効果をもった着信音を発することができ、特に音楽を着信音として用いた場合、臨場感溢れる着信音を発生させることができる。
【００３６】
次に、本発明の携帯無線機１０の他の例について図７（ａ）（ｂ）を基に説明する。
【００３７】
この携帯無線機１０は、第二の筐体２の横幅Ｗ２を第一の筐体１の横幅Ｗ１より若干大きくするとともに、第二の筐体２にアンテナ９を収容するようにしたもので、第一の筐体１にヒンジ軸３が配置される位置を横幅中央より若干ずらした位置に配置する以外は図１と同様の構造をしたものである。
【００３８】
即ち、第二の筐体２側にアンテナ９を収納するようにした場合、厚みの薄肉化によって第二の筐体２の第一の筐体１との対向面側にアンテナ９を収容するための突出部２ｂを設けざるを得ず、この突出部２ｂが第二の筐体２を折り畳んだ時に第一の筐体１と干渉して完全に折り畳むことができないのであるが、本発明のように第二の筐体２の横幅Ｗ２を第一の筐体１の横幅Ｗ１より若干大きく構成し（例えば、アンテナ９を収容することができる幅分だけ）、かつ第一の筐体１にヒンジ軸３が配置される位置をその横幅中央より若干ずらすことにより、折り畳み時にも第一の筐体１が第二の筐体２よりはみ出さないように折り畳むことが可能な携帯無線機１０を構成することができる。
【００３９】
以上、本発明の実施形態について示したが、本発明は上述した実施形態だけに限定されるものではなく、本発明の要旨を逸脱しない範囲で改良や変更したものにも適用できることは言う迄もない。
【図面の簡単な説明】
【００４０】
【図１】本発明の携帯無線機の折り畳み時の状態を示す平面図である。
【図２】本発明の携帯無線機の展開途中の状態を示す平面図である。
【図３】本発明の携帯無線機の展開時の状態を示す平面図である。
【図４】本発明の携帯無線機を示すブロック図である。
【図５】本発明の携帯無線機の検出部の構造を示す部分拡大斜視図である。
【図６】本発明の携帯無線機の着信時における流れを示すフローチャート図である。
【図７】本発明の他の携帯無線機を示す背面図で、（ａ）は展開時、（ｂ）は折り畳み時である。
【図８】従来の携帯無線機の展開時の状態を示す斜視図である。
【図９】従来の他の携帯無線機の折り畳み時の状態を示す斜視図である。
【図１０】従来のさらに他の携帯無線機を示す斜視図で、（ａ）は展開時、（ｂ）は折り畳み時である。
【符号の説明】
【００４１】
１：第１の筐体
２：第２の筐体
３：ヒンジ軸
４：マイク
５：キー操作部
６：表示部
７：スピーカー
８：マイク
９：アンテナ
１０：携帯無線機
１１：送信部
１２：受信部
１３：制御部
１４：電池
１５：記憶部
１６：第一の検出部
１７：第二の検出部
【図１】
0004404892.tif 000003
【図２】
0004404892.tif 000004
【図３】
0004404892.tif 000005
【図４】
0004404892.tif 000006
【図５】
0004404892.tif 000007
【図６】
0004404892.tif 000008
【図７】
0004404892.tif 000009
【図８】
0004404892.tif 000010
【図９】
0004404892.tif 000011
【図１０】
0004404892.tif 000012